(57)【特許請求の範囲】
【請求項１】
鉄筋コンクリート構造物の施工に際して、Ｎ＋１階の梁の鉄筋工事及びＮ＋１階の床の型枠工事を、Ｎ＋１階の床の鉄筋工事に先行して実施する鉄筋コンクリート構造物の施工方法であって、
前記Ｎ＋１階の梁の鉄筋工事では、前記鉄筋コンクリート構造物の施工現場において、梁のコンクリート打設用の型枠の底部となるプレキャストコンクリート上に梁筋を設置し、この梁筋を前記プレキャストコンクリートとともに前記Ｎ＋１階の梁の位置に設置し、
前記Ｎ＋１階の床の型枠工事では、前記Ｎ＋１階の梁筋で囲まれた水平構面に、床の型枠を設置し、
その後に、前記Ｎ＋１階の梁及び前記Ｎ＋１階の床の後続工事を同時期に行なうことを特徴とした鉄筋コンクリート構造物の施工方法。
【請求項２】
前記Ｎ＋１階の床の鉄筋工事では、前記Ｎ＋１階の床の型枠上への鉄筋の配置を行ない、
前記Ｎ＋１階の梁及び前記Ｎ＋１階の床の後続工事においては、前記Ｎ＋１階の梁及び前記Ｎ＋１階の床の型枠上へのコンクリート打設を行なうことを特徴とした請求項１に記載の鉄筋コンクリート構造物の施工方法。
【請求項３】
前記Ｎ＋１階の梁の鉄筋工事及びＮ＋１階の床の型枠工事に続いて、Ｎ階の壁の鉄筋工事、Ｎ階の壁の型枠工事、Ｎ階の柱の型枠工事、Ｎ＋１階の梁の型枠工事、Ｎ＋１階の床の鉄筋工事、Ｎ＋１階の柱の鉄筋工事のうちの少なくともふたつを並行して同時に行うことを特徴とした請求項１又は２に記載の鉄筋コンクリート構造物の施工方法。
【発明の詳細な説明】
【技術分野】
【０００１】
この発明は、鉄筋コンクリート構造物の施工方法に関するものである。
【背景技術】
【０００２】
従来、ビル等の鉄筋コンクリート構造物の施工方法としては、下層階から順に施工が進められる。そして、下層階の施工がある程度進まないと、上層階の施工に移行できず、工期短縮には限界があった。
【０００３】
一方、特許文献１に開示されるような施工方法が提案されている。この従来方法では、先行して建方された対面する鉄骨造部分において鉄筋を挟むように壁用型枠を支持させ、その上にハーフプレキャスト床版を載せ、そのハーフプレキャスト床版上への床スラブのコンクリート打設と、両壁用型枠内へのコンクリート打設とを行うようにしている。以上のように、鉄骨造部分が先行して建方されるため、工期が短縮されるとしている。
【先行技術文献】
【特許文献】
【０００４】
【特許文献１】特開平１１−３３６３２７号公報
【発明の概要】
【発明が解決しようとする課題】
【０００５】
ところが、特許文献１に開示された施工方法は、前記のように、鉄骨と鉄筋コンクリートとの複合構造に関するものであって、鉄筋コンクリートは鉄骨の柱の間の位置に設けられるものである。従って、鉄筋コンクリートのみの構造の場合には、下層階の柱・壁及び上層階の梁に付随する鉄筋工事や型枠工事が完了した後に、上層階の床や柱の工事を行う必要があるため、特許文献１の施工方法を鉄筋コンクリートのみの構造に適用することはできない。
【０００６】
この発明は、このような従来の技術に存在する問題点に着目してなされたものである。その目的は、在来の鉄筋コンクリート構造物の施工方法と比較して工期を短縮できる鉄筋コンクリート構造物の施工方法を提供することにある。
【課題を解決するための手段】
【０００７】
上記の目的を達成するために、この発明は、鉄筋コンクリート構造物の施工に際して、Ｎ＋１階の梁の鉄筋工事及びＮ＋１階の床の型枠工事を、Ｎ＋１階の床の鉄筋工事に先行して実施する鉄筋コンクリート構造物の施工方法であって、前記Ｎ＋１階の梁の鉄筋工事
では、前記鉄筋コンクリート構造物の施工現場において、梁のコンクリート打設用の型枠の底部となるプレキャストコンクリート上に梁筋を設置し、この梁筋を前記プレキャストコンクリートとともに前記Ｎ＋１階の梁の位置に設置し、前記Ｎ＋１階の床の型枠工事では、前記Ｎ＋１階の梁筋で囲まれた水平構面に、床の型枠を設置し、その後に、前記Ｎ＋１階の梁及び前記Ｎ＋１階の床の後続工事を同時期に行なう。
これにより、下層階（Ｎ階）の壁等の鉄筋もしくは型枠工事や上層階（Ｎ＋１階）の梁の型枠工事及び床と柱の鉄筋工事等を並行して行うことができる。従って、下層階の柱，壁の鉄筋もしくは型枠工事が完了した後に、上層階の梁，床の鉄筋もしくは型枠工事を順に実施する従来の施工方法と比較して、工期の短縮を図ることができる。
【０００８】
前記の施工方法において、前記Ｎ＋１階の床の鉄筋工事では、前記Ｎ＋１階の床の型枠上への鉄筋の配置を行ない、前記Ｎ＋１階の梁及び前記Ｎ＋１階の床の後続工事においては、前記Ｎ＋１階の梁及び前記Ｎ＋１階の床の型枠上へのコンクリート打設を行なってもよい。
前記の施工方法において、前記Ｎ＋１階の梁の鉄筋工事及びＮ＋１階の床の型枠工事に続いて、Ｎ階の壁の鉄筋工事、Ｎ階の壁の型枠工事、Ｎ階の柱の型枠工事、Ｎ＋１階の梁の型枠工事、Ｎ＋１階の床の鉄筋工事、Ｎ＋１階の柱の鉄筋工事のうちの少なくともふたつを並行して同時に行ってもよい。
【発明の効果】
【００１２】
以上のように、この発明によれば、鉄筋コンクリート構造物の工期短縮が可能になるという効果を発揮する。
【図面の簡単な説明】
【００１３】
【図１】（ａ)及び（ｂ）は第１実施形態の鉄筋コンクリート構造物の施工方法を順に示す概略構成図。
【図２】（ａ)及び（ｂ）は図１（ｂ）に続く鉄筋コンクリート構造物の施工方法を順に示す概略構成図。
【図３】図１（ａ）の施工方法における梁筋の施工状態を拡大して示す要部側面図。
【図４】図３の４−４線における断面図。
【図５】図３の梁におけるトラス筋を拡大して示す部分斜視図。
【図６】図４の梁の一部を分解して示す断面図。
【図７】（ａ）は第１実施形態の施工方法における梁の第１変更例を示す断面図。（ｂ）は同梁の一部を分解して示す断面図。
【図８】（ａ）は第１実施形態の施工方法における梁の第２変更例を示す断面図。（ｂ）は同梁の一部を分解して示す断面図。
【図９】（ａ）は第１実施形態の施工方法における梁の第３変更例を示す断面図。（ｂ）は同梁の一部を分解して示す断面図。
【図１０】（ａ）は第１実施形態の施工方法における梁の第４変更例を示す断面図。（ｂ）は同梁の一部を分解して示す断面図。
【図１１】第２実施形態の鉄筋コンクリート構造物の施工方法に用いる梁の断面図。
【図１２】図１１の１２−１２線における部分断面図。
【図１３】第３実施形態の鉄筋コンクリート構造物の施工方法に用いる梁の断面図。
【図１４】図１３の１４−１４線における部分断面図。
【図１５】第４実施形態の鉄筋コンクリート構造物の施工方法に用いる梁の断面図。
【図１６】第５実施形態の鉄筋コンクリート構造物の施工方法に用いる梁の断面図。
【図１７】第６実施形態の鉄筋コンクリート構造物の施工方法に用いる梁の断面図。
【発明を実施するための形態】
【００１４】
以下に、この発明を具体化した実施形態を図面に基づいて説明する。
（第１実施形態）
まず、鉄筋コンクリート構造体の施工方法を説明する。図１（ａ），（ｂ）及び図２（ａ），（ｂ）に示すように、建物の下層階をＮ（整数）階とし、その上層階をＮ＋１階とする。前記図１（ａ）はＮ階の柱５１の柱筋２１が施工された状態を示す。この状態において、まず、梁筋２２が建物の外部において組立てられる。次いで、図１（ｂ）に示すように、前記梁筋２２がＮ階の柱筋２１の上端間の位置，すなわちＮ＋１階の梁５２の位置に設置される。図面に示す６１はフープ筋を示す。
【００１５】
ここで、前記梁５２のコンクリート打設用の型枠の底部は、図３及び図４に示す単板よりなるプレキャストコンクリート（以下、単にＰＣという）３１よって形成される。前記梁筋２２は、建物の外部近辺においてこのＰＣ３１上に設置された後、ＰＣ３１とともにクレーン等で吊り上げられて、前記梁５２の位置に設置される。２４はＰＣ３１（ＰＣ３１が存在しない場合は梁用の型枠の底枠）を支える支保工を示す。
【００１６】
また、これと相前後して、図１（ｂ）に示すように、Ｎ＋１階の梁筋２２で囲まれた水平構面にハーフプレキャストコンクリートよりなる床部材としての床板２５を支保工２３を用いて敷設する。この床板２５は、床の型枠を構成する。
【００１７】
次いで、図２（ａ）（ｂ）に示すように、Ｎ階において、柱５１間の壁の鉄筋（図示しない）の配置、柱筋２１の周囲及び壁筋の両側の型枠２６の設置、Ｎ＋１階の梁筋２２の側部における側型枠（図示しない）の設置、柱筋２１間の壁の鉄筋（図示しない）の配置及びその壁の型枠の設置を行なう。
【００１８】
また、床板２５の敷設完了に続いて、Ｎ＋１階において、床板２５上への床部材としての鉄筋の配置及び柱筋２１の配置を行う。
なお、Ｎ階の壁の鉄筋の配置，壁の型枠の設置，柱の型枠の設置、Ｎ＋１階の床板２５上への鉄筋の配置，Ｎ＋１階の柱筋２１の配置の少なくともふたつを同時並行して行なうことが工期短縮の面から好ましい。あるいは、Ｎ＋１階の梁筋２２及び床板２５の設置と同時に、Ｎ階の壁の鉄筋の配置，壁の型枠の設置，柱の型枠の設置、Ｎ＋１階の床板２５上への鉄筋の配置の少なくともひとつを並行して行なってもよい。さらには、Ｎ階の柱筋２１の配置をＮ＋１階の梁筋２２及び床板２５の設置と同時に行なってもよい。
【００１９】
その後、図２（ａ）または（ｂ）の状態において、Ｎ階の柱５１及び壁、Ｎ＋１階の梁５２及び床板２５上へのコンクリートの打設を行う。梁５２の型枠の底板を構成する前記ＰＣ３１は埋め殺されて梁５２のコンクリートの底面を形成する。
【００２０】
前記のように、この鉄筋コンクリート構造物の施工方法によれば、少なくとも、Ｎ＋１階の梁５２の鉄筋工事及びＮ＋１階の床の型枠工事を先行して実施する。
次に、前記梁５２の構成及び施工方法について詳細に説明する。
【００２１】
梁５２は、図３〜図６に示すように、梁筋２２と、その底面に取り付けた梁底型枠を兼ねる単板（平板）状のＰＣ３１とを備えている。
ＰＣ３１の長方形状のコンクリート部３１ａには、鉄筋よりなるトラス筋３３が立設されている。図５に示すように、この各トラス筋３３は、波形状をなすとともに、コンクリート部３１ａの長手方向に延在する複数対（実施形態では２対）のラチス筋３３ａと、両ラチス筋３３ａの波頭部間に接合されるとともに、コンクリート部３１ａの長手方向に延在する第１端筋としての１本の上端筋３３ｂと、各ラチス筋３３ａの波形の下端内側に接合されるとともに、コンクリート部３１ａの長手方向に延在する第２端筋としての下端筋３３ｃと、下端筋３３ｃ間に跨って所定間隔おきに架設状態で接合され、コンクリート部３１ａの短手方向に延在する複数本の架設筋３３ｄとより構成されている。そして、各ラチス筋３３ａの波形の下端部、各下端筋３３ｃ及び各架設筋３３ｄがコンクリート部３１ａ内に埋設されている。
【００２２】
図３、図４及び図６に示すように、梁筋２２の鉄筋組３２は、梁筋２２の長さ方向へ平行に延びる複数本の主筋３４と、それらの主筋３４を取り囲む状態で所定間隔おきに配置され、複数のあばら筋３５とより結束線による結束状態で構成されている。各あばら筋３５は、ＰＣ３１上のトラス筋３３の内側に挿通されるとともに、上方に向かって開口し、横バンドを構成する下側の第１分割片３５Ａと、その第１分割片３５Ａの開口端を覆うように下方に向かって開口する上側の第２分割片３５Ｂとによって分割構成されている。第１分割片３５Ａの開口端の両側には、両側上端に位置する主筋３４に係止可能な係止部３５ａが折り曲げられている。
【００２３】
トラス筋３３を有するＰＣ３１は工場で製造されて施工現場に搬入される。また、鉄筋組３２は、施工現場の鉄筋コンクリート構造物の外部において、分割片３５Ａ，３５ＢをＰＣ３１のトラス筋の内側に通しながらトラス筋３３に上に配置される。
【００２４】
従って、この実施形態によれば、以下のような効果を得ることができる。
（１）  実施形態においては、Ｎ+１階の梁５２の鉄筋工事及びＮ+１階の床の型枠工事を他の工事に先行して実施する。従って、Ｎ+１階の梁５２の型枠の設置、Ｎ階の壁の鉄筋工事及び壁及び柱の型枠の設置と、Ｎ+１階における床の鉄筋工事、柱５１の鉄筋工事とを並行して同時に行うことが可能となり、工期の短縮を図ることができる。
【００２５】
（２）  実施形態においては、梁筋２２を有する鉄筋コンクリート構造物の施工に際して、梁筋２２を構成する鉄筋組３２を構造体の外部において組立てた後、梁筋２２を柱筋２１間に設置するようにしている。このため、梁筋２２をクレーン等により吊り下げながら柱筋２１間に簡単に設置することができる。これに対して、梁筋２２を梁の位置において配筋する場合は、空中作業や型枠内の狭いスペースにおける作業になるため、その作業は煩雑である。よって、本実施形態においては、梁筋２２を構成する鉄筋組３２の設置、及び柱筋２１間に対する梁筋２２の配置の作業を能率良く行うことができて、工期の短縮を図ることができる。また、施工現場で鉄筋を配筋することで、大きな嵩高の鉄筋組３２をトラック等の輸送手段を用いて輸送する必要がないため、そのための手間や費用を削減できる。従って、本実施形態によれば、建物の施工コストを低減できる。
【００２６】
（３）  この実施形態においては、前記梁の底面がＰＣ３１により構成されている。このため、ＰＣ３１の上部側に鉄筋組３２を設置することにより、ＰＣ３１を型枠として利用して、梁５２の成形を容易に行うことができ、施工コストの低減に寄与する。
【００２７】
（４）  この実施形態においては、ＰＣ３１が単純な平板状のコンクリート部３１ａとトラス筋３３とで構成されているため、嵩張らない。このため、運搬や保管に手間がかからず、それに要するスペースも小さくなる。従って、この点からも施工コストを低減できる。
【００２８】
（変更例）
次に、前記実施形態の第１〜第４変更例について説明する。
図７（ａ）及び（ｂ）に示す第１変更例においては、前記実施形態の場合とほぼ同様に、鉄筋組３２を構成するあばら筋３５が、上方に向かって開口する下側の第１分割片３５Ａと、下方に向かって開口する上側の第２分割片３５Ｂとに分割して構成されている。第１分割片３５Ａの開口端の両側には、両側の下から２段目に位置する一対の主筋３４と係止可能な係止部３５ａが折り曲げられている。第２分割片３５Ｂの開口端の両側には、両側下端に位置する一対の主筋３４と係止可能な係止部３５ｂが折り曲げられている。
【００２９】
図８（ａ）及び（ｂ）に示す第２変更例においては、前記第１変更例の場合とほぼ同様に、鉄筋組３２を構成するあばら筋３５が、上方に向かって開口する下側の第１分割片３５Ａと、下方に向かって開口する上側の第２分割片３５Ｂとに分割して構成されている。第１分割片３５Ａの開口端の両側には、両側の上から２段目に位置する一対の主筋３４と係止可能な係止部３５ａが折り曲げられている。第２分割片３５Ｂの開口端の両側には、両側の下から２段目に位置する一対の主筋３４と係止可能な係止部３５ｂが折り曲げられている。
【００３０】
図９（ａ）及び（ｂ）に示す第３変更例においては、鉄筋組３２を構成するあばら筋３５が、直線状をなす下側の第１分割片３５Ａと、下方に向かって開口する上側の第２分割片３５Ｂとに分割して構成されている。第１分割片３５Ａの両端縁には、両側下端に位置する一対の主筋３４と係止可能な係止部３５ａが折り曲げられている。第２分割片３５Ｂの開口端の両側には、両側下端に位置する一対の主筋３４と係止可能な係止部３５ｂが折り曲げられている。
【００３１】
図１０（ａ）及び（ｂ）に示す第４変更例においては、鉄筋組３２を構成するあばら筋３５が、直線状をなす一側の第１分割片３５Ａと、一側方に向かって開口する他側の第２分割片３５Ｂとに分割して構成されている。第１分割片３５Ａの両端縁には、一側の上下両端に位置する一対の主筋３４と係止可能な係止部３５ａが折り曲げられている。第２分割片３５Ｂの開口端の上下には、一側の上下両端に位置する一対の主筋３４と係止可能な係止部３５ｂが折り曲げられている。
【００３２】
（第２実施形態）
次に、この発明を具体化した第２実施形態を説明する。この第２実施形態以降の各実施形態及び変更例においては、前記第１実施形態と異なる部分を中心に説明する。
【００３３】
この第２実施形態においては、図１１及び図１２に示すように、プレキャストコンクリート３１のコンクリート部３１ａが、その梁５２の底面及び一側面を構成するように断面ほぼＬ字状に形成されている。コンクリート部３１ａの底壁上面には、幅方向に延びる複数の突条４１が所定間隔おきに形成されている。この突条４１及び側壁には、補強筋４２が埋設されている。そして、このプレキャストコンクリート３１における底壁の突条４１上に複数本の主筋３４が配置されるとともに、それらの主筋３４を取り囲むように複数の環状のあばら筋３５が固定されることにより、鉄筋組３２が組立てられるようになっている。
【００３４】
従って、この第２実施形態においても、前記第１実施形態に記載の効果とほぼ同様な効果を得ることができる。
（第３実施形態）
次に、この発明を具体化した第３実施形態を説明する。
【００３５】
この第３実施形態においては、図１３及び図１４に示すように、前記第２実施形態の場合と同様で、プレキャストコンクリート３１のコンクリート部３１ａが、断面ほぼＬ字状に形成されている。コンクリート部３１ａの側壁には、そのコンクリート部３１ａの底壁上面に延びる補強筋４２が埋設されている。コンクリート部３１ａの底壁上面と補強筋４２との間には、上端部において補強筋４２を把持する複数のスペーサ４３が介装されている。そして、このコンクリート部３１ａの底壁上に複数本の主筋３４が配置されるとともに、それらの主筋３４を取り囲むように複数の環状のあばら筋３５が結束されることにより、鉄筋組３２が組立てられるようになっている。
【００３６】
従って、この第３実施形態においても、前記第１実施形態に記載の効果とほぼ同様な効果を得ることができる。
（第４実施形態）
次に、この発明を具体化した鉄筋コンクリート構造物の施工方法の第４実施形態を説明する。
【００３７】
さて、この第４実施形態においては、図１５に示すように、梁筋２２の底面を構成するプレキャストコンクリート３１が平板状に形成されている。そのプレキャストコンクリート３１には、鉄筋組３２を構成する最下段の複数本の主筋３４及びその主筋３４を取り囲む複数の環状のあばら筋３５が予め埋設されている。そして、鉄筋組３２を構成する残りの主筋３４が、施工現場の構造体の外部において配置されるようになっている。
【００３８】
（第５実施形態）
次に、この発明を具体化した鉄筋コンクリート構造物の施工方法の第５実施形態を説明する。
【００３９】
この第５実施形態においては、図１６に示すように、梁筋２２の底面を構成するプレキャストコンクリート３１がブロック状に形成されている。そのプレキャストコンクリート３１には、鉄筋組３２を構成する最上段の主筋３４を除く複数本の主筋３４及びその主筋３４を取り囲む複数の環状のあばら筋３５が予め埋設されている。そして、鉄筋組３２を構成する残りの最上段の主筋３４が、施工現場の構造体の外部において配筋されるようになっている。
【００４０】
（第６実施形態）
次に、この発明を具体化した鉄筋コンクリート構造物の施工方法の第６実施形態を説明する。
【００４１】
この第６実施形態においては、図１７に示すように、梁筋２２がプレキャストコンクリート３１を備えることなく、複数本の主筋３４及びその主筋３４を取り囲む複数の環状のあばら筋３５からなる鉄筋組３２のみによって構成されている。そして、施工現場の構造体の外部において、主筋３４に対してあばら筋３５が結束されることにより、梁筋２２の鉄筋組３２が組立てられるようになっている。
【符号の説明】
【００４２】
２１…柱筋、２２…梁筋、２５…床板、２６…型枠、３１…プレキャストコンクリート、３２…鉄筋組、５１…柱、５２…梁。
【図１】
0006035836.tif 000002
【図２】
0006035836.tif 000003
【図３】
0006035836.tif 000004
【図４】
0006035836.tif 000005
【図５】
0006035836.tif 000006
【図６】
0006035836.tif 000007
【図７】
0006035836.tif 000008
【図８】
0006035836.tif 000009
【図９】
0006035836.tif 000010
【図１０】
0006035836.tif 000011
【図１１】
0006035836.tif 000012
【図１２】
0006035836.tif 000013
【図１３】
0006035836.tif 000014
【図１４】
0006035836.tif 000015
【図１５】
0006035836.tif 000016
【図１６】
0006035836.tif 000017
【図１７】
0006035836.tif 000018